(57)【要約】【課題】監視用途カメラでは、任意のズーム・フォーカス位置への移動機能が備わっており、この機能において、従来技術では環境温度によるレンズの膨張収縮に対応するのにバリエータレンズ群の位置による温度補正だけであったために焦点距離の長い高倍率ズームレンズにおいてフォーカスの合焦ずれが発生し、更に、レンズ個別のばらつきが大きく温度補正だけでは補正しきれない問題が発生した。【解決手段】レンズ群近傍に環境温度を検出する温度検出器を備え、バリエータレンズ群の位置情報とフォーカスレンズ群の位置情報と環境温度検出器の情報から求めた温度補正量による所定のレンズ位置におけるフォーカスレンズ群の位置情報と、オートフォーカス制御により取得したフォーカス合焦時のフォーカスレンズ群の位置情報とからレンズ個別のばらつきに対応するための温度補正量を求め、記憶しているズームトレースカーブから求めた温度補正量をさらに補正する。【選択図】  図1
2008116593.tif 000002
【特許請求の範囲】
【請求項１】
被写体側の第１レンズ群を固定とし、変倍のために光軸に沿って位置可変に駆動される第２レンズ群より後方の第３レンズ群を同様に光軸に沿って位置可変に駆動して焦点調整を行うようにしたインナーフォーカス方式ズームレンズと、
前記第１乃至第３レンズ群の使用環境温度を検出する温度検出手段とを有するフォーカスレンズのトラッキング制御装置であって、
前記インナーフォーカス方式ズームレンズは、
前記第２レンズ群を駆動する第１駆動手段と、前記第３レンズ群を駆動する第２駆動手段と、前記第２レンズ群の取り付け位置の基準点を検出する第２レンズ群基準点位置検出手段と、前記第３レンズ群の取り付け位置の基準点を検出する第３レンズ群基準点位置検出手段と、前記第１及び第２駆動手段を制御する制御手段と、前記制御手段の制御により自動的にフォーカスを合焦させるオートフォーカス手段とを有し、
前記制御手段は、
前記第２レンズ群基準点位置検出手段で検出した基準点からの移動量で前記第２レンズ群の位置を特定する方法による第２レンズ群位置検出手段と、前記第３レンズ群基準点位置検出手段で検出した基準点からの移動量で前記第３レンズ群の位置を特定する方法による第３レンズ群位置検出手段と、前記第２レンズ群の位置に対する前記第３レンズ群の合焦位置関係を示すところのズームトレースカーブを記憶した記憶部とを有し、
前記制御手段は前記温度検出手段の検出結果に応じて、前記第２駆動手段の移動量に前記第２レンズ群位置検出手段から検出した前記第２レンズ群の位置と前記第３レンズ群位置検出手段から検出した前記第３レンズ群の位置によって前記ズームトレースカーブより求めた前記第２駆動手段の移動量に第１の補正量を加減算し、
前記制御手段が前記オートフォーカス手段によってフォーカスが合焦したと判断した場合に、合焦時の前記第２レンズ群位置検出手段で検出した前記第２レンズ群の位置と前記第３レンズ群位置検出手段で検出した前記第３レンズ群の位置と前記温度検出手段の検出結果から第２の補正量を算出して、前記第１の補正量を前記第２の補正量により変更することを特徴とするフォーカスレンズのトラッキング制御装置。
【請求項２】
請求項１に記載のフォーカスレンズのトラッキング制御装置であって、
前記制御手段にて制御できる不揮発性メモリを有し、
前記第１の補正量を前記第２の補正量により変更した第３の補正量を前記不揮発性メモリに格納しておき、
フォーカスレンズのトラッキング制御装置の再起動または電源のオフからオンが実行された時には、前記不揮発性メモリに格納した第３の補正量を読出し、前記ズームトレースカーブより求めた前記第２駆動手段の移動量と前記第３の補正量により前記第２駆動手段による前記第３レンズ群の移動量を変更することを特徴とするフォーカスレンズのトラッキング制御装置。
【請求項３】
請求項１乃至２に記載のフォーカスレンズのトラッキング制御装置を具備する監視用途ズームカメラ装置。
【発明の詳細な説明】
【技術分野】
【０００１】
本発明は、監視用途ズームカメラ装置等におけるフォーカスレンズのトラッキング制御装置に係り、特にインナーフォーカス方式レンズにおける焦点距離の長い高倍率ズームレンズを用いた構成であって、その任意のズーム・フォーカス位置への移動機能或いはズーム操作による移動時において使用時の環境温度及び使用するレンズ個別のばらつきの影響を受けることなく正確なフォーカスレンズの位置を決めて駆動制御するフォーカスレンズのトラッキング制御装置に関するものである。
【背景技術】
【０００２】
特許文献１では、目的として「使用環境温度に左右されることなく安定、正確なズーム動作を実現するフォーカスレンズのトラッキング制御装置を提供する。」と記載され、構成として「レンズ群近傍に環境温度を検出する温度検出器を備え、温度検出器からの出力結果に応じてズームトレースカーブを上下シフト、即ちフォーカスレンズ群駆動の位置基準点であるバックフォーカス点を逐次環境温度に応じて変更制御する。」と記載されている。
【０００３】
また、特許文献２では、課題として「記憶容量を増やすことなく補正値を算出することができ、しかも補正値の誤差を小さくして正確な合焦レンズの総繰り出し量を算出する。」と記載され、請求項２として「段階的に切り換え可能な複数の焦点距離の中から選択される焦点距離位置にレンズを設定するズーム動作と、選択された焦点距離において前記レンズに含まれる合焦レンズの繰り出し位置を設定するフォーカシング動作とを一つのアクチュエータを用いて行うレンズ制御装置において、対象物までの距離に関するデータより前記合焦レンズの繰り出し量を算出する繰り出し量演算手段と、焦点距離毎に異なる標準繰り出し量に対する補正量を算出する補正量算出手段と、前記繰り出し量と前記補正量から前記合焦レンズの総繰り出し量を算出し、該総繰り出し量に基づいて前記合焦レンズを合焦位置まで繰り出すフォーカシング駆動手段と、温度を測定する測温手段とを有し、前記補正量演算手段は、前記焦点距離情報及び前記測温手段により得られる温度情報を使用した多項式を用いて前記補正量を算出するレンズ制御装置。」と記載されている。
【０００４】
【特許文献１】特開平６−２８９２７５号公報
【特許文献２】特開２００３−２２２７８１号公報
【発明の開示】
【発明が解決しようとする課題】
【０００５】
監視用途カメラ装置は、犯罪防止及び抑止の観点から設置される数が増加の一途をたどっている。中でも、ズームレンズを使用した監視用途ズームカメラ装置においては、電動雲台にズームカメラを搭載しパン、チルト、ズームができるようになっているドームタイプの監視ドームカメラがパチンコパーラー、カジノ等で多く普及している。更に監視用途ズームカメラ装置である監視ドームカメラにおけるズーム倍率も２０倍前後が主流であったのに対して、近年高倍率化になってきておりズーム倍率が３０倍前後になってきている。この高倍率になったズームレンズでは、レンズの焦点距離が長くなっている。
【０００６】
この監視ドームカメラにおいては、利用者が任意のパン、チルト、ズーム、フォーカスの各位置を指定して、監視ドームカメラに記憶させておき、後から利用者が指定したパン、チルト、ズーム、フォーカスの位置を呼出して指定した位置に移動させることができる機能がある。これをプリセット機能と呼ぶ。このプリセット機能で、パン、チルト、ズーム、フォーカスの各位置を記憶することをプリセットメモリと呼び、記憶したパン、チルト、ズーム、フォーカスの各位置へ移動することをプリセット実行と呼ぶ。
【０００７】
このプリセット機能は、パチンコパーラーでは、監視ドームカメラで映して監視することができるパチンコ台の１台１台に予めパン、チルト、ズーム、フォーカスの位置を指定して監視ドームカメラでプリセットメモリしておく。通常は全部のパチンコ台を映すことができるようなワイドに引いた画角で全体が監視できるようにに映している。
【０００８】
そこで、或るパチンコ台で何かあった時に、そのパチンコ台へ監視ドームカメラがパン、チルト動作及び、カメラのプリセット実行をする。これにより、何かあったパチンコ台に監視ドームカメラが向きズームアップし拡大した映像を映すことで、何があったのかを監視することができる。
【０００９】
この監視ドームカメラのプリセット機能においてプリセットメモリする時は、通常はパチンコパーラー開店前の営業していない時なので環境温度が低温状態である。しかし、プリセット実行が行われる場合は、パチンコパーラーが営業している場合が多いので環境温度が高温状態である。このように、プリセットメモリした時とプリセット実行した時の環境温度に変化があった場合、監視ドームカメラのレンズ鏡筒の材料の膨張収縮や、レンズそのものの曲率の変化など、環境温度に影響を受ける部品の温度特性によってフォーカスの合焦ずれが発生し、プリセット実行後にズームアップした映像がぼける現象となる場合があった。このフォーカス合焦位置にずれが生じる問題に対応した従来開示されている特許文献１の技術では、バリエータレンズの位置と環境温度情報によるフォーカスレンズの温度補正を行っても、レンズの焦点距離の長い高倍率レンズでは、正確に温度補正ができずにフォーカスの合焦ずれが発生していた。
【００１０】
以下この点に関して説明する。
【００１１】
図３は環境温度変化に対するバリエータレンズ群とフォーカスレンズ群の位置関係を示す図であり、実線はズームトレースカーブであり、被写体との距離が無限遠の場合を示したものである。勿論このカーブは常温の条件下におけるレンズ特性から定まるものであるが、周囲温度変化が起こった場合、前に述べたようにレンズ特性が温度依存性を持つためにこのカーブは変化する。この様相を示したのが図３中の点線のカーブであるが、例えば距離無限遠の場合、常温で実線であったカーブは高温側の温度変化に対しては点線カーブＩ、低温側の温度変化に対しては点線カーブＩ’のように環境温度によってカーブが変化する。このため、特許文献１による従来技術では環境温度によるフォーカスレンズ群の位置を補正してトラッキング制御をしていた。例えば、バリエータレンズ群の位置がＢの時のフォーカスレンズ群の位置は常温では実線上のａ点であるが、低温になると点線カーブＩ’のａ‘点となり、ａ−ａ’の分だけフォーカスレンズ群の位置制御を補正している。
【００１２】
しかしながら、レンズの焦点距離が長い高倍率レンズを使用した場合、この制御だけでは、正確なフォーカスレンズ群のトラッキング制御ができずにフォーカスの合焦ずれが発生する場合があった。図３で示したズームトレースカーブは被写体との距離が無限遠の場合を示したが、被写体までの距離によりズームトレースカーブはそれぞれ違いさらに環境温度によってカーブが変化する。ここで、レンズの焦点距離が長い高倍率レンズを使用した場合、被写体までの距離により環境温度によってカーブが変化する量が大きく変わることがわかった。そのため、レンズの焦点距離の長い高倍率レンズで、フォーカスの合焦ずれを軽減するために正確な温度補正をするためには、環境温度の変化によるバリエータレンズの位置の制御の補正量を被写体までの距離毎に変えて補正する必要がある。
【００１３】
図４は、被写体までの距離による温度補正量を示した図である。図４に示すように、被写体までの距離が無限遠の場合と最至近距離（レンズによって異なる）によって温度補正量を変化させる必要がある高倍率レンズの場合に、特許文献１の従来技術では、環境温度の変化によるバリエータレンズ群の位置の制御の補正量を被写体までの距離毎に変えて補正することには配慮されていないため、正確なフォーカスレンズのトラッキング制御ができずにフォーカスの合焦ずれが発生する場合があるという問題があった。
【００１４】
また、特許文献２の技術を用いた場合は、焦点距離情報と温度情報から温度補正を行うため、焦点距離情報を持たないカメラシステムの場合には、別途焦点距離情報を求めなければならない。この焦点距離情報を求めるためには、レンズによる固有の非常に大きなテーブルデータ情報を持つ必要があるために安価なシステムで構成するカメラには不向きであるという問題があった。
【００１５】
この問題点を解決するため、レンズの焦点距離の長い高倍率レンズを使用したカメラであって、レンズ群近傍に環境温度を検出する温度検出器を備え、フォーカスレンズ群駆動の駆動量に温度検出器で検出した温度情報と被写体までの距離の情報であるバリエータレンズ群の位置情報とフォーカスレンズ群の位置情報とから温度補正量を求めることで、環境温度に応じた正確なフォーカスレンズ群の位置制御をすることができることがわかった。
【００１６】
しかしながら、使用しているフォーカスレンズ群やバリエータレンズ群にはレンズ群個別のばらつきがあり、ズームトレースカーブの温度による変化量がフォーカスレンズのトラッキング制御装置毎に異なることがわかった。このため、フォーカスレンズのトラッキング制御装置個々に温度補正量を変えないとフォーカスの合焦ずれが発生する場合があるという問題があった。
【００１７】
本発明の目的は、レンズ群近傍に環境温度を検出する温度検出器を備え、バリエータレンズ群の位置情報とフォーカスレンズ群の位置情報と温度検出器の情報から求めた温度補正量による所定のレンズ位置におけるフォーカスレンズ群の位置情報と、オートフォーカス制御により取得したフォーカスの合焦時のフォーカスレンズ群の位置情報とからレンズ個別のばらつきに対応するための温度補正量を求め、記憶しているズームトレースカーブから求めた温度補正量をさらに補正することで、レンズ個別のばらつきによる合焦ずれを起こすことのないフォーカスレンズのトラッキング制御装置を提供することにある。
【課題を解決するための手段】
【００１８】
上記目的は、一例として特許請求の範囲に記載の発明により達成される。
【発明の効果】
【００１９】
本発明によれば、信頼性の高いフォーカスレンズのトラッキング制御装置を提供できる。
【発明を実施するための最良の形態】
【００２０】
以下、本発明の実施例を図面を参照しながら説明する。
【実施例１】
【００２１】
図１は、本発明によるフォーカスレンズのトラッキング制御装置の一実施例を示す主要ブロック図である。
【００２２】
図１において、第１レンズ群である１は固定の前玉レンズ、第２レンズ群である２はバリエータレンズ群、６及び７は絞り機構、３は固定レンズ、第３レンズ群である４はフォーカスレンズ群、５はＣＣＤ（Ｃｈａｒｇｅ  Ｃｏｕｐｌｅｄ  Ｄｅｖｉｃｅ）であり、光軸上に並んでいる。１５はズームモータ９及びズームモータ駆動回路１９より成るバリエータレンズ群２を駆動する第１駆動手段、１６はフォーカスモータ１２及びフォーカスモータ駆動回路２０より成るフォーカスレンズ群４を駆動する第２駆動手段、１７は制御手段であるマイクロプロセッサ、１８はレンズ群の使用環境温度を検出する温度検出手段、２１はＣＣＤ５から出力されるアナログの映像信号をデジタルの映像信号に変換するアナログフロントエンド回路、２２はアナログフロントエンド回路から出力されるデジタル化された映像信号を処理する映像信号処理デジタルシグナルプロセッサ（以下、映像信号処理ＤＳＰ）である。
【００２３】
まず、各部の構成、動作について説明する。温度検出手段１８は、ダイオードによる順方向導通電圧の温度特性による温度検出手段やサーミスタなどの感温抵抗による温度検出手段などである。第３レンズ群基準点位置検出手段であるフォーカスレンズ基準位置検出手段８は、周知のフォトインタラプタなどで構成され、フォーカスレンズ群４の位置がフォーカスレンズ基準位置検出手段８より左側の場合は通光、右側の場合は遮光の識別信号を出力する。そして、マイクロプロセッサ１７は通光、遮光の識別信号の境界点を認識しフォーカスレンズ駆動の位置基準点として、マイクロプロセッサ１７の記録部にあるズームトレースカーブ上に記憶処理する。第２レンズ群基準点位置検出手段であるバリエータレンズ基準位置検出手段１１もフォーカスレンズ基準位置検出手段８と同様の仕組みでズームレンズ駆動の位置基準点としてズームトレースカーブ上に記憶処理する。また、第１駆動手段１５はマイクロプロセッサ１７によって制御され、ズーム操作或いは任意のズーム・フォーカス位置への移動時にマイクロプロセッサ１７からズームモータ駆動回路１９に制御信号が入力されると、ズームモータ９を駆動してバリエータレンズ群２を所定の位置へ移動させる。更に、バリエータレンズ群２が移動している時には、マイクロプロセッサ１７はバリエータレンズ基準位置検出手段１１から得た基準点からの移動量でバリエータレンズ群２の移動先の位置を決めて移動させる。また、フォーカスレンズ基準位置検出手段８から得た基準点からの移動量でフォーカスレンズ群４の移動先の位置を決めて移動させる。マイクロプロセッサ１７は、移動させた移動量を基準点から加減算して記憶処理しておくことでバリエータレンズ群２とフォーカスレンズ群４の位置を管理する。
【００２４】
図２はインナーフォーカス方式ズームレンズの原理構成を示す図である。図１ではズームモータ９とバリエータレンズ群２を、又フォーカスモータ１２とフォーカスレンズ群４をそれぞれ直結した図としているが、図２に示すようにバリエータレンズ用送りねじ機構１０及び、フォーカスレンズ用送りネジ機構１３によって連結されるものである。これは、ズームモータ９が駆動されると駆動された方向に駆動された量だけバリエータレンズ群２が移動する。更に、フォーカスモータ１２が駆動されると駆動された方向に駆動された量だけフォーカスレンズ群４が移動する。
【００２５】
本実施例は、マイクロプロセッサ１７の記憶部にズームトレースカーブ及びバリエータレンズ基準位置検出手段１１で取得したバリエータレンズ駆動の位置基準点と、フォーカスレンズ基準位置検出手段８で取得したフォーカスレンズ駆動の位置基準点であるバックフォーカス点を記憶させておくと共に温度検出手段１８により取得した使用環境温度情報を記憶取得する。また、バリエータレンズ群２の位置情報は、前記バリエータレンズ基準位置検出手段１１で取得した位置基準点からの移動量をマイクロプロセッサ１７が管理してバリエータレンズ群２の位置情報とする。フォーカスレンズ群４の位置情報も同様に、前記フォーカスレンズ基準位置検出手段８で取得した位置基準点からの移動量をマイクロプロセッサ１７が管理してフォーカスレンズ群４の位置情報とする。
【００２６】
これらの温度情報、バリエータレンズ群２の位置情報、及び、フォーカスレンズ群４の位置情報からズームトレースカーブを元に温度補正量を算出する。この算出した温度補正量を第２駆動手段１６にマイクロプロセッサ１７が設定することでフォーカスレンズ群４が駆動され環境温度によって合焦ずれしないようにフォーカスレンズ群の位置を移動させる。
【００２７】
次に、オートフォーカス制御の方法を図１及び図１３を用いて説明する。ＣＣＤ５から出力されたアナログの映像信号は、アナログフロントエンド回路２１を介してデジタル化され、映像信号処理ＤＳＰ２２に入力され、そこで映像信号処理すると共にアナログ映像信号にして出力し、外部のＴＶモニタ等に映像を表示する。映像信号処理ＤＳＰ２２は、マイクロプロセッサ１７にて制御され、映像信号処理の際に映像信号の高周波成分を検波し、その高周波成分検波情報をマイクロプロセッサ１７が取得する。この取得した映像信号の高周波成分検波情報を使用してオートフォーカス制御を行う。
【００２８】
図１３はフォーカスレンズ群４の位置に対する映像信号高周波成分検波情報を示した図であり、横軸はフォーカスレンズ群４の位置、縦軸は映像信号の高周波成分検波情報である。まず、マイクロプロセッサ１７は第２駆動手段１６に設定してフォーカスレンズ群４の位置を無限遠位置から最至近方向に向かって最至近位置まで移動させて映像信号高周波成分情報を取得していく。その情報をプロットしたのが図１３に示したカーブＶＦ１となる。カーブＶＦ１から映像信号高周波成分情報が最大となるフォーカスレンズ群４の位置Ｆがフォーカスの合焦位置とする方法がオートフォーカス制御である。また、フォーカスレンズ群４の位置が無限遠位置からだけではなく、どの位置からでも検波情報が最大となる位置を見つける方法はあるが、本特許では無限遠位置から最至近位置までのフォーカスレンズ群４の移動とした。さらに、映像信号高周波成分検波情報を取得する間隔も山の裾野では長く、山の近傍では短くするようにするのが一般的であるが本特許では一定間隔で取得していく方法である。また、このカーブＶＦ１は、被写体の距離、明るさなどで山の位置、傾き、大きさが変化するため、解像度チャートなどを画面一杯に映すことができればオートフォーカス制御におけるフォーカスレンズ群４の位置精度がより正確になる。
【００２９】
プリセットメモリをした時のバリエータレンズ群２の位置情報とフォーカスレンズ群４の位置情報とからプリセット実行を行った場合のプリセット実行時のバリエータレンズ群２の位置におけるフォーカスレンズ群４の位置は、温度検出手段１８により取得した使用環境温度情報から温度補正量を加味したフォーカスレンズ群４の位置にすることは前述した。その時、オートフォーカス制御を実行して合焦させた場合のフォーカスレンズ群４の位置情報と、前記プリセット実行後のフォーカスレンズ群４の位置情報とから、位置情報に相違がある場合にレンズ個別のばらつきと判断し、オートフォーカス制御で取得したフォーカスレンズ群４の位置になるような温度補正量にするための温度補正係数を算出してマイクロプロセッサ１７のメモリに記憶している温度補正係数を更新することで温度補正量が補正できる。
【００３０】
図５は、プリセットメモリ時におけるバリエータレンズ群とフォーカスレンズ群の位置関係を示す図である。被写体との距離が無限遠でのズームトレースカーブがＪ’、１．５ｍでのズームトレースカーブがＪになっているとした場合、環境温度が１０℃になっている時に、バリエータレンズ群２の位置がＢ点にあり、フォーカスレンズ群４の位置がｃ点で被写体に対して合焦しているとする。この場合、被写体との距離は、無限遠から１．５ｍの間にあることになる。この時に必要な情報は、無限遠ズームトレースカーブＪ’と１．５ｍズームトレースカーブＪからのフォーカスレンズ群４の距離情報ｅとｄである。この環境温度が１０℃、バリエータレンズ群２の位置がＢ点、フォーカスレンズ群４の位置がｃ点でプリセットメモリを行った場合に、監視ドームカメラが記憶する情報としては、環境温度補正係数を含まないフォーカスレンズ群４の絶対位置情報ｃ、１．５ｍズームトレースカーブＪ、無限遠ズームトレースカーブＪ’、１．５ｍズームトレースカーブＪからのフォーカスレンズ群４の移動距離情報ｄ、無限遠ズームトレースカーブＪ’からのフォーカスレンズ群４の移動距離情報ｅである。これらの情報をマイクロプロセッサ１７がプリセットメモリの情報として記憶しておく。
【００３１】
その後、画角が広いワイド付近に変えて監視を行っている場合を図６を用いて説明する。図６はプリセット実行前におけるバリエータレンズ群とフォーカスレンズ群の位置関係を示す図であり、図６に示すようなバリエータレンズ群２の位置がＢ’点、フォーカスレンズ群４の位置がｃ’点で監視している状況において、その時の環境温度が４０℃になってい。
【００３２】
ここで、前記プリセットメモリしたバリエータレンズ群２の位置がＢ点、フォーカスレンズ群４の位置がｃ点の各レンズ位置へプリセット実行を行った場合を図７を用いて説明する。図７は本発明によるフォーカスレンズのトラッキング制御装置でのプリセット実行時におけるバリエータレンズ群とフォーカスレンズ群の位置関係を示す図であり、図７に示すようにバリエータレンズ群２の位置をＢ’点からＢ点に移動させ、同時にフォーカスレンズ群４の位置をｃ’点からｃ点に移動させる。これらの移動量の情報は、バリエータレンズ群２の移動量情報をＸ、フォーカスレンズ群４の移動量情報Ｙとした場合、バリエータレンズ群２の移動量情報Ｘを第１駆動手段１５にマイクロプロセッサ１７が設定してズームモータ９を駆動させてバリエータレンズ群２の位置をＢ’点からＢ点へ移動させる。同時にフォーカスレンズ群４の移動量情報Ｙをマイクロプロセッサ１７が後述する方法で求めて第２駆動手段１６に設定してフォーカスモータ１２を駆動させてフォーカスレンズ群４を移動させる。ここで移動量情報Ｙは、環境温度による温度補正量を加味した値となるため、フォーカスレンズ群４の移動としてはｃ’点からｃ１点への移動となる。
【００３３】
次にフォーカスレンズ群４の移動情報Ｙの算出処理に関して図１１のフローチャートに従って説明する。図１１は本発明による本発明によるフォーカスレンズのトラッキング制御装置での任意のズーム・フォーカス位置への移動機能におけるフローチャートである。ここでは、バリエータレンズ群２の位置を図７に示すＢ‘点からＢ点へ移動するプリセット実行時で説明する。
【００３４】
まず、プリセット実行の操作を行うと本処理が開始され、ステップＳ１００１で、温度検出手段１８により使用環境温度情報Ｔを取得する。ステップＳ１００２で、プリセットメモリした際に記憶していたバリエータレンズ群２の位置情報Ｂ点、フォーカスレンズ群４の位置情報ｃ点、１．５ｍズームトレースカーブＪからのフォーカスレンズ群４の移動距離情報ｄ、及び、無限遠ズームトレースカーブＪ’からのフォーカスレンズ群４の移動距離情報ｅと、温度情報Ｔとから温度補正量を算出する。ここでは、環境温度がプリセットメモリをしたときの１０℃から４０℃に変化しているので、図７に示す補正前のｃ点から補正後のｃ１点にフォーカスレンズ群４の位置がなるような温度補正量を算出する。この温度補正量を求める方法は、図１２に示すフローチャートに従って求める。この方法の詳細は、後述する。次にステップＳ１００３では、ステップＳ１００２で求めた温度補正量をフォーカスレンズ群４の位置がｃ’点からｃ点への移動量に加算してフォーカスレンズ移動情報Ｙを算出する。フォーカスレンズ群４の移動情報Ｙは、
Ｙ＝（ｃ−ｃ’）＋（温度補正量）
となる。
【００３５】
ステップＳ１００５では、ステップＳ１００４で算出したフォーカスレンズ移動情報Ｙを第２駆動手段１６に設定してフォーカスレンズ群４をｃ１点に移動させる。
【００３６】
次に前記図１１のフローチャートのステップＳ１００２で後述すると述べた温度補正量算出処理について図１２及び図８に従って説明する。図８は本発明によるフォーカスレンズのトラッキング制御装置での被写体までの距離による温度補正量の割合を示す図、図１２は本発明によるフォーカスレンズのトラッキング制御装置での温度補正量算出処理のフローチャートである。
【００３７】
最初にステップＳ２００１では、被写体距離の割合を算出する。これは、プリセットメモリした際に記憶していた１．５ｍズームトレースカーブＪからのフォーカスレンズ群４の移動距離情報ｄと無限遠ズームトレースカーブＪ’からのフォーカスレンズ群４の移動距離情報ｅから次の式で算出する。
【００３８】
被写体距離の割合＝（ｅ／（ｅ＋ｄ））×１００
ここで、被写体距離と温度補正係数量とは図８に示すような被写体距離の割合に強い関係を持っており、この関係から温度補正係数Ｋを求める。本来は図４に示すように被写体距離により２次曲線を描く温度補正量になるが、本実施例では図８に示すように１次直線の組み合わせにて近似させて、且つ、被写体距離が無限遠での温度補正量を１００％とした場合の温度補正係数Ｋを算出することとしている。この温度補正係数Ｋのカーブは、使用するレンズ群によって決める情報であり検討により傾きＡ１、Ａ２、Ａ３、Ａ４を決めて予めマイクロプロセッサ１７に記憶している。
【００３９】
ステップＳ２００２では、被写体距離の割合が「割合１」の場合か判断し、被写体距離の割合が０％〜５％の範囲にある場合は、「割合１」と判断しステップＳ２００８の被写体距離の「割合１」の温度補正係数Ｋの算出処理に移行する。この温度補正係数Ｋの算出処理での算出式は次の通りである。
【００４０】
温度補正係数Ｋ＝１
−Ａ１×（（ｄ＋ｅ）×（被写体距離の割合−０）／
（ｄ＋ｅ）×０．０５）
ステップＳ２００２で「割合１」ではないと判断した場合には、ステップＳ２００３の「割合２」の判断となり、被写体距離の割合が６％〜１０％の範囲にある場合は、「割合２」と判断しステップＳ２００７の被写体距離の「割合２」の温度補正係数Ｋの算出処理に移行する。この温度補正係数Ｋの算出処理での算出式は次の通りである。
【００４１】
温度補正係数Ｋ＝１
−Ａ１
−Ａ２×（（ｄ＋ｅ）×（被写体距離の割合−０．０５）／
（ｄ＋ｅ）×０．０５）
ステップＳ２００３で「割合２」ではないと判断した場合には、ステップＳ２００４の「割合３」の判断となり、被写体距離の割合が１１％〜２０％の範囲にある場合は、「割合３」と判断しステップＳ２００６の被写体距離の「割合３」の温度補正係数Ｋの算出処理に移行する。この温度補正係数Ｋの算出処理での算出式は次の通りである。
【００４２】
温度補正係数Ｋ＝１
−Ａ１
−Ａ２
−Ａ３×（（ｄ＋ｅ）×（被写体距離の割合−０．１０）／
（ｄ＋ｅ）×０．１０）
ステップＳ２００４で「割合３」でないと判断した場合には、被写体距離の割合が２１％〜１００％の範囲になるので、ステップＳ２００５の被写体距離の「割合４」の温度補正係数Ｋの算出処理に移行する。この温度補正係数Ｋの算出処理での算出式は次の通りである。
【００４３】
温度補正係数Ｋ＝１
−Ａ１
−Ａ２
−Ａ３
−Ａ４×（（ｄ＋ｅ）×（被写体距離の割合−０．２０）／
（ｄ＋ｅ）×０．８０）
ステップＳ２００５、２００６、２００７、２００８で温度補正係数Ｋの算出後、ステップＳ２００９では、算出した温度補正係数Ｋにバリエータレンズ群２の位置情報による温度補正値を掛け合わせることで温度補正量を算出する。この温度補正量の算出式は次の通りである。
【００４４】
（温度補正量）＝（バリエータレンズ群２の位置による温度補正値）×
（温度補正係数Ｋ）
ステップＳ２００９で算出した温度補正量を使用して上述した図１１のステップＳ１００３の処理によりフォーカスレンズ群４の移動情報Ｙを算出して移動させる。
【００４５】
ここで、バリエータレンズ群２の位置情報に対する温度補正値は、図９に示すような値をとる。図９は、本発明によるフォーカスレンズのトラッキング制御装置でのバリエータレンズ群２の位置と環境温度による温度補正値のカーブを示す図である。ここでは、環境温度２５℃での温度補正量がバリエータレンズ群２の位置によらずゼロ、０℃の場合のカーブＧと５０℃の場合のカーブＧ’を示している。また、この温度補正値はフォーカスレンズ群２の位置情報が無限遠位置における値であり、レンズにより異なる固有の値である。そのため、予めレンズの特性を検討して決めておく。
【００４６】
バリエータレンズ群２のＢ点位置での温度補正値は、環境温度１０℃の場合にｆ点の−Ｚ値となり、環境温度４０℃の場合にはｆ’点のＺ値となる。
【００４７】
本発明では、温度補正量の算出時には、上記バリエータレンズ群２の位置情報と環境温度から得られた値にフォーカスレンズ群４の位置情報から得られた温度補正係数Ｋを加味した温度補正量を決定する。
よって、図７のフォーカスレンズ位置ｃ点における温度補正量は、
（温度補正量）＝（バリエータレンズ群２のＢ点位置での温度補正値）×
（フォーカスレンズ群４のｃ点位置での係数Ｋ）
で算出する。
【００４８】
具体的に説明すると、プリセットメモリした際に記憶していた１．５ｍズームトレースカーブＪからのフォーカスレンズ群４の移動距離情報ｄが１０００、無限遠ズームトレースカーブＪ’からのフォーカスレンズ群４の移動距離情報ｅが７００であった場合には、前記被写体距離の割合を求める式に当てはめて算出すると、
被写体距離の割合＝（７００／（７００＋１０００））×１００
＝４１％
となる。次にこの割合が図８の中での温度補正係数の傾きがＡ１、Ａ２、Ａ３、Ａ４のどこにあるかを判断する。傾きＡ１は０％〜５％の範囲、Ａ２は６％〜１０％の範囲、Ａ３は１０％〜２０％の範囲、Ａ４は２１％〜１００％の範囲となっていた時、前記算出した被写体距離の割合は、４１％なので傾きＡ４となる。
【００４９】
よって、温度補正係数Ｋは、
温度補正係数Ｋ＝１
−Ａ１
−Ａ２
−Ａ３
−Ａ４×（（１０００＋７００）×（０．４１−０．２０）／
（１０００＋７００）×０．８０）
＝１−Ａ１−Ａ２−Ａ３−（Ａ４×０．２６）
となる。
【００５０】
ゆえに、環境温度４０℃でのフォーカスレンズ群４の温度補正量は、
（温度補正量）＝Ｚ×（１−Ａ１−Ａ２−Ａ３−（Ａ４×０．２６））
となる。Ｚは、バリエータレンズ群２のＢ点位置で環境温度４０℃での温度補正値である。Ａ１、Ａ２、Ａ３、Ａ４は、被写体距離の情報から得られる温度補正係数である。これらの情報は、前述した通り、予めレンズによって決められた値としてマイクロプロセッサ１７が持っている。
【００５１】
よって、移動情報Ｙは、
Ｙ＝（ｃ−ｃ’）＋（温度補正量）
となる。これでフォーカスレンズ群４の現在の位置情報ｃと移動先の位置情報ｃ’だけで移動情報Ｙを算出することができる。前述の式は、環境温度が４０℃における、バリエータレンズ群２がＢ点におけるフォーカスレンズ群４の移動情報Ｙとなる。
【００５２】
この移動情報Ｙの算出は、マイクロプロセッサ１７にて行われ、環境温度に応じたフォーカスレンズ群４の移動情報Ｙを第２駆動手段１６に設定することでフォーカスレンズ群４は駆動され、ｃ’点からｃ１点位置に移動し、合焦ずれのないフォーカスレンズ群４の移動制御を実現している。この前述した温度補正係数であるＡ１、Ａ２、Ａ３、Ａ４は、レンズ固有の情報であり予め検討により決めたものである。
【００５３】
本発明の目的である温度補正係数Ａ１、Ａ２、Ａ３、Ａ４をオートフォーカス動作によって補正する方法に関して図１４、図１５に従い説明する。尚、フローチャートでの動作は、ステップＳ３００１でのプリセット実行動作でバリエータレンズ群２の位置は移動があるもののそれ以降にバリエータレンズ群２の移動はないものとする。また、実行は順番に実行されるものとし、温度に大幅な変化はないものとする。
【００５４】
図１４は、本発明によるフォーカスレンズのトラッキング制御装置での温度補正係数を補正する場合のフローチャートである。図１５は、本発明によるフォーカスレンズのトラッキング制御装置での温度補正係数を補正する場合のフローチャートを行ったときのフォーカスレンズ群４の動きを示した図である。
【００５５】
まず、ステップＳ３００１で、前述したプリセット実行を動作させる。この時にフォーカスレンズ群４の位置が上述した温度補正量を元にｃ点からｃ１点に移動する。次にステップＳ３００２では、ステップＳ３００１のプリセット実行完了後にフォーカスレンズ群４の位置情報Ｕをメモリ（記憶）する。これは、前記プリセット実行動作において使用環境温度に応じたフォーカスレンズ群４の位置を補正した後におけるｃ１点の位置情報である。次にステップＳ３００３では、前述したオートフォーカス制御動作を実行する。この時にフォーカスレンズ群４の位置は、ｃ２点でフォーカス合焦位置となったとする。次にステップＳ３００４では、オートフォーカス制御動作によってフォーカスが合焦したフォーカスレンズ群４のｃ２点の位置情報Ｖをメモリ（記憶）する。次にステップＳ３００５では、プリセット実行後のフォーカスレンズ群４の位置情報Ｕとオートフォーカス制御動作実行後のフォーカスレンズ群４の位置情報Ｖを比較判断する。位置情報ＵとＶが同じであれば温度補正係数はフローチャートの処理を実行している時の環境温度におけるレンズ固有の温度補正係数と合っているとし、温度補正係数の補正はせずに終了する。ステップＳ３００５でプリセット実行後のフォーカスレンズ群４の位置情報Ｕとオートフォーカス実行後のフォーカスレンズ群４の位置情報Ｖが異なっている場合には、温度補正係数がフローチャートの処理を実行している時の環境温度におけるレンズ固有の温度補正係数と合っていないと判断し、ステップＳ３００６の温度補正係数の更新を行う。但し、オートフォーカス制御動作の合焦停止精度を加味し、位置情報ＵとＶが同じである判定を完全に一致とするのではなく、ある範囲内であれば同じとする判定でも良い。
【００５６】
プリセット実行時記憶しているズームトレースカーブや温度補正係数や温度補正値を元に算出したフォーカスレンズ群４の位置情報と、オートフォーカス制御動作により取得したフォーカスレンズ群４の位置情報とが異なる場合は、使用しているレンズ群個別のばらつきが元で起こっている。これは、記録している温度補正係数が実験的に求められた平均値のため、レンズ群個々の温度補正係数とは異なるものとなることに起因している。そのため、本発明では、オートフォーカス制御動作により取得したフォーカスレンズ群４の位置情報とプリセット実行動作時に算出したフォーカスレンズ群４の位置情報との差を元に温度補正係数を更新し、更新した温度補正係数により温度補正量をさらに補正することで、レンズ個別のばらつきによる合焦ずれを起こすことがない。
【００５７】
次に図１４のステップＳ３００６の温度補正係数の更新について、図１６、図１７に従い説明する。図１６は本発明によるフォーカスレンズのトラッキング制御装置での被写体までの距離による温度補正量の割合を示す図、図１７は本発明によるフォーカスレンズのトラッキング制御装置での温度補正係数を補正する実行時のフローチャートである。
【００５８】
ステップＳ４００１では、バリエータレンズ群２の位置情報を取得する。ステップＳ４００２では、温度検出手段１８より使用環境温度情報を取得する。ステップＳ４００３では、プリセット実行動作後のフォーカスレンズ群４の位置情報Ｕを取得する。これは、マイクロプロセッサ１７にてメモリ（記憶）しておいた情報である。ステップＳ４００４では、オートフォーカス制御動作実行後のフォーカスレンズ群４の位置情報Ｖを取得する。次にステップＳ４００５では、プリセット実行動作後のフォーカスレンズ群４の位置情報Ｕにおける温度補正量を算出する。算出式は次の式である。
【００５９】
（温度補正量）＝（バリエータレンズ群２の位置における温度補正値）×
（フォーカスレンズ群４の位置Ｕにおける温度補正係数）
次に、ステップＳ４００６では、オートフォーカス制御動作によるさらなる補正をした温度補正量を算出する。これは、オートフォーカス制御動作実行後のフォーカスレンズ群４の位置情報Ｖがフォーカスレンズの合焦している位置なので、そのバリエータレンズ位置における温度補正係数を補正するために、プリセット実行時の温度補正量からプリセット実行動作後のフォーカスレンズ群４の位置情報Ｕとオートフォーカス制御動作実行後のフォーカスレンズ群４の位置情報Ｖの差分値を加算する。但し、この差分値はプリセット実行動作後のフォーカスレンズ群４の位置に対してオートフォーカス制御動作実行後のフォーカスレンズ群４の位置が無限遠方向ならマイナス、最至近方向ならプラスとする値である。これが、温度補正量をオートフォーカス制御動作で補正した後の温度補正量となる。式は次の通り。
【００６０】
（温度補正量：補正後）＝（バリエータレンズ群２の位置における温度補正量）＋
（Ｖ−Ｕ）
次にステップＳ４００７では、温度補正量をオートフォーカス制御動作で補正した温度補正量と図９の温度補正値とから更新する温度補正係数を算出する。
【００６１】
（温度補正係数：補正後）＝（温度補正量：補正後）／（温度補正値）
最後にステップＳ４００８では、ステップＳ４００７で算出した補正後の温度補正係数になるように温度補正係数算出用オフセット量を更新する。これは、補正後の温度補正係数と補正前の温度補正係数の差分を算出し、この差分値をオフセット量としてマイクロプロセッサ１７がメモリ（記憶）して温度補正係数を更新する。このオフセット量をＳとした場合、図１６に示す被写体距離によって変化する温度補正係数において、補正前の温度補正係数は、実線で示しているが、補正後の温度補正係数は、破線で示すようにオフセット量Ｓが前記差分値だけ加算された温度補正係数になる。この場合オフセット量Ｓはゼロ値から前記差分値に更新される。このオフセット量Ｓが前記差分値に更新された以降ではプリセット実行動作における温度補正係数は前記差分値となったオフセット量Ｓを加味した温度補正量となる。
【００６２】
具体的には、図１２に示したフローチャート内での温度補正係数の計算式をそれぞれ次のようにする。
【００６３】
ステップＳ２００５の被写体距離の割合４の温度補正係数Ｋの算出式は、
温度補正係数Ｋ＝１−Ａ１−Ａ２−Ａ３
−Ａ４×（（ｄ＋ｅ）×（被写体距離の割合−０．２０）／
（ｄ＋ｅ）×０．８０）
＋（オフセット量：Ｓ）
となる。
【００６４】
ステップＳ２００６の被写体距離の割合３の温度補正係数Ｋの算出では、
温度補正係数Ｋ＝１−Ａ１−Ａ２
−Ａ３×（（ｄ＋ｅ）×（被写体距離の割合−０．１０）／
（ｄ＋ｅ）×０．１０）
＋（オフセット量：Ｓ）
となる。
【００６５】
ステップＳ２００６の被写体距離の割合２の温度補正係数Ｋの算出では、
温度補正係数Ｋ＝１−Ａ１
−Ａ２×（（ｄ＋ｅ）×（被写体距離の割合−０．０５）／
（ｄ＋ｅ）×０．０５）
＋（オフセット量：Ｓ）
となる。
【００６６】
ステップＳ２００６の被写体距離の割合１の温度補正係数Ｋの算出では、
温度補正係数Ｋ＝１−Ａ１×（（ｄ＋ｅ）×（被写体距離の割合−０）／
（ｄ＋ｅ）×０．０５）
＋（オフセット量：Ｓ）
となる。
【００６７】
このオフセット量Ｓは、マイクロプロセッサ１７の内部メモリに記憶しておくが、監視用途ズームカメラ装置の初期設定時には、マイクロプロセッサ１７の内部メモリは初期化されるのでオフセット量はゼロ値となり予め検討によって設定した温度補正係数となる。その後、前述した図１４のフローチャートの操作が実行された場合に、マイクロプロセッサ１７内部に持つメモリに記憶しているオフセット量を「Ｓ」に更新する。このオフセット量Ｓ更新以降にレンズ駆動が行われた時に温度補正係数算出用のオフセット量Ｓを加味して温度補正係数Ｋが算出されるので、レンズ個別のばらつきを抑えたより正確な温度補正ができ、フォーカスの合焦ずれをなくすフォーカスレンズのトラッキング制御が実現できる。
【００６８】
以上、本発明の実施例について説明した。
【００６９】
図１０は、本発明によるフォーカスレンズのトラッキング制御装置を搭載する焦点距離の長い高倍率ズームレンズを使用した監視用途ズームカメラ装置の概観図の例である。
【００７０】
上記説明したように、本発明で使用する情報はバリエータレンズ群の位置情報、フォーカスレンズ群の位置情報、温度検出器による温度情報、及び、オートフォーカス制御によるフォーカスレンズ群の位置情報からだけで温度補正量を求めて補正していくことができるため比較的安価な監視用途ズームカメラ装置において効果がある。
【実施例２】
【００７１】
更に前記オフセット量Ｓを不揮発性メモリに記憶しておく方法について図１８を使用して説明する。図１８は本発明による第２の実施形態であるフォーカスレンズのトラッキング制御装置を示す主要ブロック図である。ここでは、実施例１の図１と異なる点を中心に説明する。
【００７２】
図１８の２３は不揮発性メモリであり、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ：電気的に消去書込み可能な読出し専用メモリ）で構成され、マイクロプロセッサ１７が制御してデータの消去、書込み、及び、読出しをすることができる。実施例１では前記図１７のステップＳ４００８で更新したオフセット量Ｓをマイクロプロセッサ１７の内部メモリに記憶していたが、実施例２では前記オフセット量Ｓを不揮発性メモリ２３に格納し、更新していくようにしている。このようにオフセット量Ｓを不揮発性メモリ２３に格納することで、監視用途ズームカメラ装置の電源供給が停止した後に電源供給が行われた場合であっても、オフセット量Ｓは監視用途ズームカメラ装置の初期化によるオフセット量ゼロ値から開始されるのではなく不揮発性メモリ２３に格納して置いたオフセット量Ｓから温度補正を開始することで正確な温度補正係数となるため、監視用途ズームカメラ装置が起動した時からレンズ個別のばらつきを抑えることができるようになる。この方法は、図１７におけるフローチャートのＳ４００８で示した温度補正係数算出用オフセット更新での処理でマイクロプロセッサ１７の内部メモリを更新すると共に不揮発性メモリ２３に格納しておく。
【００７３】
尚、実施例２の製品への適用は、監視用途ズームカメラ装置を製造する調整工程において本実施例の図１４及び図１７の動作を実施することで、オフセット量Ｓをレンズ個別の情報としてマイクロプロセッサ１７が不揮発性メモリ２３に格納しておく場合が挙げられる。また別の方法として、監視用途ズームカメラ装置を使用する利用者がプリセット実行後にオートフォーカス制御動作を実行するような操作を実施することでレンズの経年変化によるばらつきを抑える場合にも有効である。
【００７４】
本発明によれば、レンズ群近傍に環境温度を検出する温度検出器を備え、バリエータレンズ群の位置情報とフォーカスレンズ群の位置情報と温度検出器の情報から求めた温度補正量による所定のレンズ位置におけるフォーカスレンズ群の位置情報と、オートフォーカス制御により取得したフォーカス合焦時のフォーカスレンズ群の位置情報とからレンズ個別のばらつきに対応するための温度補正量を求め、記憶しているズームトレースカーブから求めた温度補正量をさらに補正することでレンズ個別のばらつきによる合焦ずれを起こすことがないフォーカスレンズのトラッキング制御装置を提供できる。
【図面の簡単な説明】
【００７５】
【図１】本発明によるフォーカスレンズのトラッキング制御装置を示す主要ブロック図
【図２】インナーフォーカス方式ズームレンズの原理構成を示す図
【図３】環境温度変化に対するバリエータレンズ群とフォーカスレンズ群の位置関係を示す図
【図４】被写体までの距離による温度補正量を示す図
【図５】プリセットメモリ時におけるバリエータレンズ群とフォーカスレンズ群の位置関係を示す図
【図６】プリセット実行前におけるバリエータレンズ群とフォーカスレンズ群の位置関係を示す図
【図７】本発明によるフォーカスレンズのトラッキング制御装置でのプリセット実行時におけるバリエータレンズ群とフォーカスレンズ群の位置関係を示す図
【図８】本発明によるフォーカスレンズのトラッキング制御装置での被写体までの距離による温度補正量の割合を示す図
【図９】本発明によるフォーカスレンズのトラッキング制御装置でのバリエータレンズ群の位置と環境温度による温度補正値のカーブを示す図
【図１０】本発明によるフォーカスレンズのトラッキング制御装置を搭載する焦点距離の長い高倍率ズームレンズを使用した監視用途ズームカメラの概観図
【図１１】本発明によるフォーカスレンズのトラッキング制御装置での任意のズーム・フォーカス位置への移動機能におけるフローチャート
【図１２】本発明によるフォーカスレンズのトラッキング制御装置での温度補正量算出処理部のフローチャート
【図１３】フォーカスレンズ群の位置に対する映像信号高周波成分検波情報の図
【図１４】本発明によるフォーカスレンズのトラッキング制御装置での温度補正係数を補正する場合のフローチャート
【図１５】本発明によるフォーカスレンズのトラッキング制御装置での温度補正係数を補正する場合のフローチャートを実行した場合のフォーカスレンズの動作例
【図１６】本発明によるフォーカスレンズのトラッキング制御装置での被写体までの距離による温度補正量の割合を示す図
【図１７】本発明によるフォーカスレンズのトラッキング制御装置での温度補正係数を補正する実行時のフローチャート
【図１８】本発明による第２の実施形態であるフォーカスレンズのトラッキング制御装置を示す主要ブロック図
【符号の説明】
【００７６】
１…第１レンズ群、２…バリエータレンズ群、３…固定レンズ、４…フォーカスレンズ群、５…ＣＣＤ、６、７…絞り機構、８…フォーカスレンズ基準位置検出手段、９…ズームモータ、１０…バリエータレンズ用送りネジ機構、１１…バリエータレンズ基準位置検出手段、１２…フォーカスモータ、１３…フォーカスレンズ用送りネジ機構、１４…鏡筒、１５…第１駆動手段、１６…第２駆動手段、１７…マイクロプロセッサ、１８…温度検出手段、１９…ズームモータ駆動回路、２０…フォーカスモータ駆動回路、２１…アナログフロントエンド回路、２２…映像信号処理ＤＳＰ、２３…不揮発性メモリ
【図１】
2008116593.tif 000003
【図２】
2008116593.tif 000004
【図３】
2008116593.tif 000005
【図４】
2008116593.tif 000006
【図５】
2008116593.tif 000007
【図６】
2008116593.tif 000008
【図７】
2008116593.tif 000009
【図８】
2008116593.tif 000010
【図９】
2008116593.tif 000011
【図１０】
2008116593.tif 000012
【図１１】
2008116593.tif 000013
【図１２】
2008116593.tif 000014
【図１３】
2008116593.tif 000015
【図１４】
2008116593.tif 000016
【図１５】
2008116593.tif 000017
【図１６】
2008116593.tif 000018
【図１７】
2008116593.tif 000019
【図１８】
2008116593.tif 000020